(57)【要約】【課題】生体試料のインピーダンス測定において、生体試料の種類や解析する目的などに応じて、速やかに測定精度を向上させ得る測定装置を提供すること。【解決手段】生体試料を保持する一又は複数の生体試料保持部と、該生体試料保持部に保持された前記生体試料と接触する一対の電極に、交番電圧を印加する印加部と、該印加部により前記生体試料に交番電圧が印加されることによって得られる前記生体試料のインピーダンスを測定する測定部と、前記測定部における測定時間および／または測定周波数を制御する測定条件制御部と、を備える生体試料用インピーダンス測定装置を提供する。【選択図】図１
2020165982.tif 000002
【特許請求の範囲】
【請求項１】
生体試料を保持する一又は複数の生体試料保持部を有し、測定装置に対して脱着可能なカートリッジと、
該生体試料保持部に保持され、かつ、前記生体試料と接触する一対の電極に、交番電圧を印加する印加部と、該印加部により前記生体試料に交番電圧が印加されることによって得られる前記生体試料の電気的特性を測定する測定部と、前記電極と金属板とをショートさせて前記測定部のキャリブレーションを行うことにより前記測定部の精度の管理を行う精度管理部と、を有する測定装置と、を具備する
生体試料測定システム。
【請求項２】
前記測定部における測定時間および／または測定周波数を制御する測定条件制御部を備える請求項１に記載の生体試料測定システム。
【請求項３】
前記測定条件制御部における測定時間の制御では、前記測定部における測定間隔を制御する請求項２に記載の生体試料測定システム。
【請求項４】
前記測定条件制御部における測定時間の制御では、前記測定部における測定終了のタイミングを制御する請求項２に記載の生体試料測定システム。
【請求項５】
前記生体試料保持部における温度を制御する温度制御部を備える請求項１から４のいずれか一項に記載の生体試料測定システム。
【請求項６】
前記生体試料保持部では、前記生体試料が収容された容器を保持することにより前記生体試料を保持する請求項１から５のいずれか一項に記載の生体試料測定システム。
【請求項７】
前記生体試料保持部に前記生体試料を自動的に供給する生体試料供給部を備える請求項１から６のいずれか一項に記載の生体試料測定システム。
【請求項８】
前記生体試料保持部に１種または２種以上の薬剤を自動的に供給する薬剤供給部を備える請求項１から７のいずれか一項に記載の生体試料測定システム。
【請求項９】
前記容器には、予め１種または２種以上の薬剤が収容されている請求項６に記載の生体試料測定システム。
【請求項１０】
前記生体試料は、血液成分を含有する請求項１から９のいずれか一項に記載の生体試料測定システム。
【請求項１１】
前記測定部において測定されたインピーダンスの時間的変化から、前記血液の状態変化を解析する血液状態解析部を備える請求項１０に記載の生体試料測定システム。
【請求項１２】
前記生体試料保持部を動かすための駆動機構を備える請求項１から１１のいずれか一項に記載の生体試料測定システム。
【請求項１３】
前記駆動機構は、前記生体試料保持部に保持された前記生体試料にかかる重力の方向を変化させる方向へ前記生体試料保持部を動かす請求項１２に記載の生体試料測定システム。
【請求項１４】
前記生体試料保持部の内部の撹拌を行う撹拌機構を備える請求項１から１３のいずれか一項に記載の生体試料測定システム。
【請求項１５】
生体試料保持部に保持され、かつ、生体試料と接触する一対の電極に、交番電圧を印加する印加部と、
該印加部により前記生体試料に交番電圧が印加されることによって得られる前記生体試料の電気的特性を測定する測定部と、
前記電極と金属板とをショートさせて前記測定部のキャリブレーションを行うことにより前記測定部の精度の管理を行う精度管理部と、を有する
生体試料測定装置。
【請求項１６】
生体試料を保持する一又は複数の生体試料保持部を有し、測定装置に対して脱着可能なカートリッジと、
該生体試料保持部に保持され、かつ、前記生体試料と接触する一対の電極に、交番電圧を印加する印加部と、該印加部により前記生体試料に交番電圧が印加されることによって得られる前記生体試料の電気的特性を測定する測定部と、前記電極と金属板とをショートさせて前記測定部のキャリブレーションを行うことにより前記測定部の精度の管理を行う精度管理部と、を有する、測定装置と、を具備する
血液凝固解析システム。
【発明の詳細な説明】
【技術分野】
【０００１】
本技術は、生体試料用インピーダンス測定装置に関する。より詳しくは、生体試料のインピーダンス測定を、オートマチックに行うことが可能な生体試料用インピーダンス測定装置および生体試料用インピーダンス測定システムに関する。
【背景技術】
【０００２】
生体試料の電気的特性を測定し、その測定結果から試料の物性を判定したり、試料に含まれる細胞等の種類を判別したりすることが行われている（例えば、特許文献１参照）。測定される電気的特性としては、複素誘電率やその周波数分散（誘電スペクトル）が挙げられる。複素誘電率やその周波数分散は、一般に、溶液に対して電圧を印加するための電極を備えた溶液保持器等を用いて電極間の複素キャパシタンスないし複素インピーダンスを測定することで算出される。
【０００３】
また、例えば、特許文献２には、血液の誘電率から血液凝固に関する情報を取得する技術が開示されており、「一対の電極と、上記一対の電極に対して交番電圧を所定の時間間隔で印加する印加手段と、上記一対の電極間に配される血液の誘電率を測定する測定手段と、血液に働いている抗凝固剤作用が解かれた以後から上記時間間隔で測定される血液の誘電率を用いて、血液凝固系の働きの程度を解析する解析手段と、を有する血液凝固系解析装置」が記載されている。
【０００４】
また、例えば、特許文献３には、１又は複数の血球細胞を含む懸濁液の複素誘電率スペクトルを測定する測定部と、該測定部で測定された複素誘電率スペクトルに基づいて、前記懸濁液の誘電変数及び／又は電気的物性値を算出し、その値から薬剤投与に伴う血球細胞の状態変化を検出する検出部と、を有することにより、薬剤の効果や副作用を短時間で評価することができる血球細胞分析装置が開示されている。
【先行技術文献】
【特許文献】
【０００５】
【特許文献１】特開２００９−０４２１４１号公報
【特許文献２】特開２０１０−１８１４００号公報
【特許文献３】特開２０１１−１１２４９７号公報
【発明の概要】
【発明が解決しようとする課題】
【０００６】
前述のように、生体試料のインピーダンスを測定することにより、生体試料の様々な情報を得たり、生体試料の様態を解析したりすることが行われている。そして、測定精度を高めるためには、生体試料の種類や解析する目的などに応じて、インピーダンスの測定条件などを細かく設定することが非常に重要である。
【０００７】
しかし、これまでの装置では、生体試料の種類や解析する目的などに応じて、その都度、測定条件を設定する必要があり、測定精度を高めるためには、条件設定に多くの時間を有する場合があった。
【０００８】
そこで、本技術では、生体試料のインピーダンス測定において、生体試料の種類や解析する目的などに応じて、速やかに測定精度を向上させ得る測定装置を提供することを主目的とする。
【課題を解決するための手段】
【０００９】
即ち、本技術は、
生体試料を保持する一又は複数の生体試料保持部と、
該生体試料保持部に保持された前記生体試料と接触する一対の電極に、交番電圧を印加する印加部と、
該印加部により前記生体試料に交番電圧が印加されることによって得られる前記生体試料のインピーダンスを測定する測定部と、
前記電極と金属板とをショートさせて前記測定部のキャリブレーションを行うことにより前記測定部の精度の管理を行う精度管理部と、
を備える生体試料用インピーダンス測定装置を提供する。
前記生体試料用インピーダンス測定装置は、前記測定部における測定時間および／または測定周波数を制御する測定条件制御部を備えてもよい。
前記測定条件制御部における測定時間の制御では、前記測定部における測定間隔を制御してもよい。
前記測定条件制御部における測定時間の制御では、前記測定部における測定終了のタイミングを制御してもよい。
前記生体試料用インピーダンス測定装置は、前記生体試料保持部における温度を制御する温度制御部を備えてもよい。
前記生体試料保持部では、前記生体試料が収容された容器を保持することにより前記生体試料を保持してもよい。
前記生体試料用インピーダンス測定装置は、前記生体試料保持部に前記生体試料を自動的に供給する生体試料供給部を備えてもよい。
前記生体試料用インピーダンス測定装置は、前記生体試料保持部に１種または２種以上の薬剤を自動的に供給する薬剤供給部を備えてもよい。
前記生体試料は、血液成分を含有してもよい。
前記生体試料用インピーダンス測定装置は、前記測定部において測定されたインピーダンスの時間的変化から、前記血液の状態変化を解析する血液状態解析部を備えてもよい。
前記生体試料用インピーダンス測定装置は、前記生体試料保持部を動かすための駆動機構を備えてもよい。
前記駆動機構は、前記生体試料保持部に保持された前記生体試料にかかる重力の方向を変化させる方向へ前記生体試料保持部を動かしてもよい。
前記生体試料用インピーダンス測定装置は、前記生体試料保持部の内部の撹拌を行う撹拌機構を備えてもよい。
【００１０】
また、本技術は、
生体試料を保持する一又は複数の生体試料保持部と、
該生体試料保持部に保持された前記生体試料と接触する一対の電極に、交番電圧を印加する印加部と、
該印加部により前記生体試料に交番電圧が印加されることによって得られる前記生体試料のインピーダンスを測定する測定部と、
前記電極と金属板とをショートさせて前記測定部のキャリブレーションを行うことにより前記測定部の精度の管理を行う精度管理部と、
前記測定部において測定されたインピーダンスのデータを表示する表示部と、
ユーザーが操作するためのユーザーインターフェースと、
を備える生体試料用インピーダンス測定システムを提供する。
前記生体試料用インピーダンス測定システムは、前記測定部において測定されたインピーダンスのデータを記憶する記憶部を備えてもよい。
また、本技術は、
精度管理用容器と、該精度管理用容器内に設置された金属板と、を備え、前記生体試料用インピーダンス測定装置の精度管理部として用いられる、精度管理用部品を提供する。
また、本技術は、
印加部が、一又は複数の生体試料保持部に保持された生体試料と接触する一対の電極に、交番電圧を印加する印加ステップと、
測定部が、前記印加ステップにより前記生体試料に交番電圧が印加されることによって得られる前記生体試料のインピーダンスを測定する測定ステップと、
精度管理部が、前記測定ステップ開始前に前記電極と金属板とをショートさせて前記測定部のキャリブレーションを行うことにより前記測定部の精度の管理を行う精度管理ステップと、を含む生体試料用インピーダンス測定方法を提供する。
【発明の効果】
【００１１】
本技術に係る生体試料用インピーダンス測定装置は、測定時間および／または測定周波数をオートマチックに制御することができるため、生体試料のインピーダンス測定において、生体試料の種類や解析する目的などに応じて、速やかに測定精度を向上させることが可能である。
【図面の簡単な説明】
【００１２】
【図１】本技術に係る生体試料用インピーダンス測定装置１の概念を模式的に示す模式概念図である。
【図２】本技術に係る生体試料用インピーダンス測定装置１における生体試料保持部２の一態様を模式的に示す断面模式図である。
【図３】本技術に係る生体試料用インピーダンス測定装置１における接続部３２の一態様を模式的に示す断面模式図であり、図Ａは非測定時の様子、図Ｂは測定時の様子を、それぞれ示す断面模式図である。
【図４】本技術に係る生体試料用インピーダンス測定装置１における駆動機構１１の一態様を模式的に示す断面模式図である。
【図５】撹拌機構１３を用いて、ピペッティングによって生体試料Ｓと試薬Ｒとの撹拌を行う場合の撹拌方法の一例を示す概念図である。
【図６】本技術に係る生体試料用インピーダンス測定システム１００の概念を模式的に示す模式概念図である。
【図７】本技術に係る生体試料用インピーダンス測定システム１００における表示部に表示されるデータの一例を示す図面代用グラフである。
【発明を実施するための形態】
【００１３】
以下、本技術を実施するための好適な形態について図面を参照しながら説明する。なお、以下に説明する実施形態は、本技術の代表的な実施形態の一例を示したものであり、これにより本技術の範囲が狭く解釈されることはない。なお、説明は以下の順序で行う。
１．生体試料用インピーダンス測定装置１
（１）生体試料保持部２
（ａ）容器２１
（ｂ）容器保持部２２
（２）印加部３
（ａ）電極３１ａ、３１ｂ
（ｂ）接続部３２
（３）測定部４
（４）測定条件制御部５
（５）温度制御部６
（６）生体試料供給部７
（７）薬剤供給部８
（８）生体試料Ｓ
（９）血液状態解析部９
（１０）精度管理部１０
（１１）駆動機構１１
（１２）サンプル待機部１２
（１３）撹拌機構１３
２．生体試料用インピーダンス測定システム１００
（１）表示部１０１
（２）ユーザーインターフェース１０２
（３）記憶部１０３
【００１４】
１．生体試料用インピーダンス測定装置１
図１は、本技術に係る生体試料用インピーダンス測定装置１の概念を模式的に示す模式概念図である。本技術に係る生体試料用インピーダンス測定装置１は、大別して、生体試料保持部２と、印加部３と、測定部４と、測定条件制御部５と、を少なくとも備える。また、必要に応じて、温度制御部６、生体試料供給部７、薬剤供給部８、血液状態解析部９、精度管理部１０、駆動機構１１、サンプル待機部１２、撹拌機構１３などを備えることもできる。以下、各部について詳細に説明する。
【００１５】
（１）生体試料保持部２
生体試料保持部２は、測定対象の生体試料が保持される部位である。本技術に係る生体試料用インピーダンス測定装置１において、この生体試料保持部２の数は特に限定されず、測定対象の生体試料の量や種類、或いは測定目的などに応じて、一又は複数の生体試料保持部２を自由に配置することができる。
【００１６】
本技術に係る生体試料用インピーダンス測定装置１では、生体試料保持部２に生体試料Ｓを保持した状態で、インピーダンス測定が行われる。そのため、生体試料保持部２は、生体試料Ｓを保持した状態で密封可能な構成であることが好ましい。ただし、生体試料Ｓのインピーダンスを測定するのに要する時間停滞可能であって、測定に影響がなければ、気密な構成でなくてもよいものとする。
【００１７】
生体試料保持部２への生体試料Ｓの具体的な導入および密閉方法は特に限定されず、生体試料保持部２の形態に応じて自由な方法で導入することができる。例えば、図示しないが、生体試料保持部２に蓋部を設け、ピペットなどを用いて生体試料Ｓを導入した後に蓋部を閉じて密閉する方法や、生体試料保持部２の外表面から注射針を穿入し、液体状の生体試料Ｓを注入した後、注射針の貫通部分を、グリスなどで塞ぐことで、密閉する方法などが挙げられる。
【００１８】
生体試料保持部２の形態は、測定対象の生体試料を装置内に保持することができれば特に限定されず、自由な形態に設計することができる。例えば、基板上に設けた一又は複数のセルを生体試料保持部２として機能させたり、一又は複数の容器を生体試料保持部２として機能させたりすることができる。生体試料保持部２の一態様について、図２を参照しながら説明する。
【００１９】
図２は、本技術に係る生体試料用インピーダンス測定装置１における生体試料保持部２の一態様を模式的に示す断面模式図である。図２で例示する生体試料保持部２は、容器２１と容器保持部２２から構成されている。
【００２０】
なお、本技術に係る生体試料用インピーダンス測定装置１では、容器２１として、公知のカートリッジタイプの測定用容器を用いることができるように、容器保持部２２を設計すれば、容器保持部２２のみで、生体試料保持部２として機能させることも可能である。即ち、本技術に係る生体試料用インピーダンス測定装置１における生体試料保持部２は、容器２１のみで構成される場合、容器２１および容器保持部２２で構成される場合、容器保持部２２のみで構成される場合、のいずれも包含する。
【００２１】
（ａ）容器２１
本技術に係る生体試料用インピーダンス測定装置１において、生体試料保持部２として容器２１を用いる場合、その具体的な形態は特に限定されず、測定対象の生体試料Ｓを保持可能であれば、円筒体、断面が多角（三角、四角或いはそれ以上）の多角筒体、円錐体、断面が多角（三角、四角或いはそれ以上）の多角錐体、或いはこれらを１種または２種以上組み合わせた形態など、生体試料Ｓの状態や種類などに応じて自由に設計することができる。
【００２２】
また、容器２１を構成する素材についても特に限定されず、測定対象の生体試料Ｓの状態や種類、測定目的などに影響のない範囲で、自由に選択することができる。本技術では特に、加工成形のし易さなどの観点から、樹脂を用いて容器２１を構成することが好ましい。本技術において、用いることができる樹脂の種類も特に限定されず、生体試料Ｓの保持に適用可能な樹脂を、１種または２種以上自由に選択して用いることができる。例えば、ポリプロピレン、ポリメチルメタクリレート、ポリスチレン、アクリル、ポリサルホン、ポリテトラフルオロエチレンなどの疎水性かつ絶縁性のポリマーやコポリマー、ブレンドポリマーなどが挙げられる。本技術では、この中でも特に、ポリプロピレン、ポリスチレン、アクリル、およびポリサルホンから選ばれる一種以上の樹脂で生体試料保持部２を形成することが好ましい。これらの樹脂は、血液に対して低凝固活性であるという性質を有するため、例えば、血液を含有する生体試料の測定にも好適に用いることができる。
【００２３】
（ｂ）容器保持部２２
本技術に係る生体試料用インピーダンス測定装置１において、生体試料保持部２として容器保持部２２を用いる場合、その具体的な形態は特に限定されず、測定対象の生体試料Ｓが収容された容器２１を保持可能であれば、自由に設計することができる。
【００２４】
また、容器保持部２２を構成する素材についても特に限定されず、保持する容器２１の形態などに応じて、自由に選択することができる。
【００２５】
（２）印加部３
印加部３は、生体試料保持部２に保持された生体試料Ｓと接触する一対の電極３１ａ、３１ｂに、交番電圧を印加する部位である。印加部３は、測定を開始すべき命令を受けた時点または生体試料用インピーダンス測定装置１の電源が投入された時点を開始時点として、一対の電極３１ａ、３１ｂに電圧を印加する。より具体的には、印加部３は、設定される測定間隔または後述する測定条件制御部５において制御された測定間隔ごとに、電極３１ａ、３１ｂに対して、設定される周波数または後述する測定条件制御部５において制御された周波数の交流電圧を印加する。
【００２６】
印加部３では、複数対の電極に交番電圧を印加することも可能である。複数対の電極に交番電圧を印加する方法としては、例えば、印加部３を複数備えることにより複数対の電極への交番電圧の印加を同時に行う方法、一つの印加部３を走査させることにより複数対の電極への交番電圧の印加を行う方法、電極を備える生体試料保持部２を移動させることにより複数対の電極への交番電圧の印加を行う方法、印加部３を複数備え、スイッチングにより実際に印加を行う印加部３を一または複数選択する方法などを挙げることができる。
【００２７】
（ａ）電極３１ａ、３１ｂ
電極３１ａ、３１ｂは、測定時に生体試料Ｓと接触し、生体試料Ｓに必要な電圧を印加するために用いられる。本技術に係る生体試料用インピーダンス測定装置１において、電極部３１ａ、３１ｂの数は、生体試料Ｓのインピーダンスを測定することが可能であれば特に限定されず、一対以上の電極を自由に配置することができる。
【００２８】
また、電極３１ａ、３１ｂの配置や形態なども特に限定されず、生体試料Ｓに必要な電圧を印加することができれば、前記生体試料保持部２の形態などに応じて、自由に設計することができる。例えば、図２に示す生体試料保持部２のように、生体試料保持部２（容器２１）に電極３１ａ、３１ｂを一体成形することもできるし、図示しないが、容器２１の蓋部に電極３１ａ、３１ｂを設け、蓋部で密閉することにより、容器２１内に収容された生体試料Ｓに電極３１ａ、３１ｂを接触させ得る構成とすることもできる。また、測定時に、容器２１の外部から一対の電極３１ａ、３１ｂを容器２１内に挿入することで、生体試料Ｓに電極３１ａ、３１ｂを接触させ得る構成とすることもできる。
【００２９】
電極３１ａ、３１ｂを構成する素材についても特に限定されず、測定対象の生体試料Ｓの状態や種類、測定目的などに影響がない範囲で、公知の電気伝導性素材を１種または２種以上自由に選択して用いることができる。例えば、チタン、アルミニウム、ステンレス、白金、金、銅、黒鉛などが挙げられる。本技術では、この中でも特に、チタンを含む電気伝導性素材で電極３１ａ、３１ｂを形成することが好ましい。チタンは、血液に対して低凝固活性であるという性質を有するため、例えば、血液を含有する生体試料の測定にも好適に用いることができる。
【００３０】
（ｂ）接続部３２
接続部３２は、印加部３および／または測定部４と電極３１ａ、３１ｂとを、電気的に接続する部位である。接続部３２の具体的な形態は特に限定されず、印加部３および／または測定部４と電極３１ａ、３１ｂとを電気的に接続することが可能であれば、自由な形態に設計することができる。接続部３２の一態様について、図３を参照しながら説明する。
【００３１】
図３は、本技術に係る生体試料用インピーダンス測定装置１における接続部３２の一態様を模式的に示す断面模式図である。図３Ａは非測定時の様子を、図３Ｂは測定時の様子を、それぞれ示す。図３で例示する接続部３２は、非測定時には、印加部３および／または測定部４と電極３１ａ、３１ｂとを非接続状態とし、測定時には、印加部３および／または測定部４と電極３１ａ、３１ｂとを電気的に接続可能となるように構成している。
【００３２】
具体的には、容器２１および容器２１側の接続部３２、または、印加部３および／または測定部４側の接続部３２、或いは、これら全てを駆動可能に構成する。そして、非測定時には、容器２１側の接続部３２と印加部３および／または測定部４側の接続部３２とを非接触状態とし、測定時には、容器２１側の接続部３２と印加部３および／または測定部４側の接続部３２とを接触状態となるように動かすことで、測定時にのみ、印加部３および／または測定部４と電極３１ａ、３１ｂとを電気的に接続することができる。
【００３３】
（３）測定部４
測定部４は、印加部３により生体試料Ｓに交番電圧が印加されることによって得られる生体試料Ｓのインピーダンスを測定する部位である。具体的には、測定を開始すべき命令を受けた時点または生体試料用インピーダンス測定装置１の電源が投入された時点を開始時点として、電極３１ａ、３１ｂ間における生体試料Ｓのインピーダンスを測定する。
【００３４】
測定したインピーダンスからは、誘電率などを導出することができる。この誘電率の導出には、インピーダンスと誘電率との関係を示す既知の関数や関係式を用いることができる。
【００３５】
測定部４において、インピーダンスを測定する周波数帯域は、測定する生体試料の種類、状態、測定目的などに応じて、適宜選択することができる。例えば、生体試料が血液である場合、血液の状態変化に応じて、下記の表１に示す周波数帯域のインピーダンスに変化がみられる。
【００３６】
【表１】
2020165982.tif 000003
【００３７】
例えば、血液の凝固（凝血）を予測または検知を目的とする場合、周波数１ｋＨｚ〜５０ＭＨｚにおいてインピーダンスを測定することが好ましく、周波数３ＭＨｚ〜１５ＭＨｚにおいてインピーダンスを測定することがより好ましい。このように、血液の状態や測定目的に応じて、予め、パラメータを設定しておくことで、前記表１に示すような好ましい周波数帯域を自動的に選択可能とすることができる。
【００３８】
測定部４では、複数の測定を行うことも可能である。複数の測定を行う方法としては、例えば、測定部４を複数備えることにより複数の測定を同時に行う方法、一つの測定部４を走査させることにより複数の測定を行う方法、前記生体試料保持部２を移動させることにより複数の測定を行う方法、測定部４を複数備え、スイッチングにより実際に測定を行う測定部４を一または複数選択する方法などを挙げることができる。
【００３９】
（４）測定条件制御部５
測定条件制御部５は、測定部４における測定時間および／または測定周波数を制御する部位である。
【００４０】
例えば、測定時間の制御の具体的な方法としては、目的の解析に必要なデータ量などに応じて、測定間隔の制御を行ったり、測定値がほぼ横ばいになった場合などに、測定終了のタイミングの制御を行ったりすることができる。
【００４１】
また、測定対象の生体試料Ｓの種類や目的の解析に必要な測定値などに応じて、測定周波数の制御を行うことも可能である。測定周波数の制御としては、電極３１ａ、３１ｂ間に印加する交流電圧の周波数を変化させたり、複数の周波数を重畳させて、複数の周波数でのインピーダンス測定を行ったりする方法が挙げられる。その具体的方法としては、複数の単周波数アナライザーを並設する方法、周波数をスイープする方法、周波数を重畳させてフィルターで各周波数の情報を抽出する方法、インパルスに対するレスポンスで測定する方法などが挙げられる。
【００４２】
（５）温度制御部６
温度制御部６は、生体試料保持部２における温度を制御する部位である。本技術に係る生体試料用インピーダンス測定装置１において、この温度制御部６は必須の部位ではないが、測定対象の生体試料Ｓを測定に最適な状態に保つためには、備えることが好ましい。
【００４３】
また、後述するように、サンプル待機部１２を設ける場合、温度制御部６は、サンプル待機部１２における温度を制御することも可能である。更に、測定時または測定前に、生体試料Ｓに薬剤を入れる場合、薬剤の温度を制御するために、温度制御部６を備えてもよい。この場合、温度制御部６は、生体試料保持部２における温度制御、サンプル待機部１２における温度制御、および薬剤の温度制御のためにそれぞれ設けることもできるし、一つの温度制御部６が全ての温度制御を行ってもよい。
【００４４】
温度制御の具体的な方法は特に限定されないが、例えば、図２および図３に示す容器保持部２２に、温度調整機能を持たせることで、容器保持部２２を温度制御部６として機能させることができる。
【００４５】
（６）生体試料供給部７
生体試料供給部７は、生体試料保持部２に生体試料Ｓを自動的に供給する部位である。本技術に係る生体試料用インピーダンス測定装置１において、この生体試料供給部７は必須の部位ではないが、各工程をオートマチックに行うためには、備えることが好ましい。
【００４６】
生体試料Ｓの具体的な供給方法は特に限定されないが、例えば、生体試料Ｓが液体状である場合、ピペッターとその先端に装着するチップを用いて、生体試料保持部２に生体試料Ｓを自動的に供給することができる。この場合、測定誤差などを防止するためにも、チップは使い捨てにすることが好ましい。また、生体試料Ｓの貯蔵庫から、ポンプなどを用いて生体試料保持部２に生体試料Ｓを自動的に供給することもできる。更に、常設のノズルなどを用いて生体試料保持部２に生体試料Ｓを自動的に供給することも可能である。この場合、ノズルには、測定誤差などを防止するためにも、洗浄機能を付与することが好ましい。
【００４７】
（７）薬剤供給部８
薬剤供給部８は、生体試料保持部２に１種または２種以上の薬剤を自動的に供給する部位である。本技術に係る生体試料用インピーダンス測定装置１において、この薬剤供給部８は必須の部位ではないが、各工程をオートマチックに行うためには、備えることが好ましい。
【００４８】
薬剤の具体的な供給方法は特に限定されず、前記生体試料供給部７と同様の方法を用いて行うことができる。特に、薬剤の供給は、生体試料保持部２（容器２１）への接触なしに、一定量の薬剤を供給できる方法が好ましい。例えば、液体状の薬剤であれば、吐出による供給を行うことができる。
【００４９】
より具体的には、例えば、予め薬液を吐出管内へ導入しておき、これに接続される管路を介して、別途接続される加圧空気を短時間管路へ吹き込むことにより、生体試料保持部２（容器２１）へ薬液を吐出供給することができる。この際、空気圧とバルブ開閉時間を調整することにより、薬液の吐出量を調整可能とすることもできる。
【００５０】
また、空気を吹き込む以外に、加熱により薬液自体あるいはそれに溶存する空気の気化を利用して、生体試料保持部２（容器２１）へ薬液を吐出供給することもできる。この際、発熱素子などを設置した気化室への印加電圧と時間を調整することにより、発生気泡容積を調整し、薬液の吐出量を調整することもできる。
【００５１】
また、空気を使わず、圧電素子（ピエゾ素子）などを用いて、管路内に設けられた可動部を駆動し、可動部容積で定まる量の薬液を送出することにより、生体試料保持部２（容器２１）へ薬液を供給することもできる。
【００５２】
更に、例えば、薬液を微滴化し、所定の生体試料保持部２（容器２１）へ直接吹き付ける、いわゆるインクジェット方式を用いることにより、薬剤を供給することも可能である。
【００５３】
薬剤供給部８には、撹拌機能、温度制御機能、薬剤の種類などを識別するための識別機能（例えば、バーコードリーダーなど）などを備えることも可能である。
【００５４】
なお、薬剤を用いる場合、容器２１には予め、所定の薬剤を、固体化して、あるいは、液体のまま収容しておくことも可能である。例えば、血液成分を含有する生体試料Ｓを測定対象とする場合などは、抗凝固剤、凝固開始剤などを予め容器２１に入れておくことができる。
【００５５】
このように、容器２１に予め薬剤を収容しておくことで、薬剤供給部８や薬剤保持部が不要となり、装置の小型化やコストの低減が可能である。また、使用者の薬剤交換などの手間が不要となり、薬剤供給部８や薬剤保持部の装置メンテナンスも不要となるためにユーザビリティを向上させることもできる。
【００５６】
（８）生体試料Ｓ
本技術で測定対象とすることが可能な生体試料Ｓは、特に限定されず、自由に選択することができる。本技術に係る生体試料用インピーダンス測定装置１では、特に液体状またはゲル状の生体試料のインピーダンスを好適に測定することができる。液体状の生体試料Ｓの具体例としては、全血、血漿、またはこれらの希釈液および／または薬剤添加物などの血液成分を含有する生体試料Ｓなどを挙げることができる。
【００５７】
（９）血液状態解析部９
血液状態解析部９は、測定部４において測定されたインピーダンスの時間的変化から、血液の状態変化を解析する部位である。本技術に係る生体試料用インピーダンス測定装置１において、この血液状態解析部９は必須の部位ではないが、生体試料Ｓとして血液成分を含有する生体試料を用いる場合には、血液状態解析部９を設けることで、血液の状態変化を検出することができる。
【００５８】
より具体的には、例えば、解析期間内に受け取った複数のインピーダンスの測定値からそれぞれの特徴を示すパラメータを抽出し、このパラメータと、血液の状態変化の基準を定める基準値との比較に基づき、血液の状態変化を解析することができる。
【００５９】
本技術における血液状態解析部９において、解析可能な血液の状態変化の具体例としては、状態変化によりインピーダンスの時間的変化が見られる現象であれば、特に限定されず、様々な状態変化を検出および解析することができる。例えば、血液の凝固（凝血）、フィブリン形成、フィブリン塊形成、血餅形成、血小板凝集、赤血球の連銭形成、血液の凝集、赤血球の沈降（赤沈）、血餅収縮、線溶などの溶血、フィブリノリジスなどを挙げることができる。
【００６０】
（１０）精度管理部１０
精度管理部１０は、測定部４の精度管理を行う部位である。本技術に係る生体試料用インピーダンス測定装置１において、この精度管理部１０は必須の部位ではないが、精度管理部１０を設けることで、測定部４での測定精度を向上させることができる。
【００６１】
精度管理部１０において行う、測定部４の具体的な精度管理方法は特に限定されず、公知の精度管理方法を自由に選択して用いることができる。例えば、装置１内に、ショート用の金属板などを設置しておき、測定開始前に電極と金属板とをショートさせることで測定部４のキャリブレーションを行う方法、キャリブレーション用のジグなどと電極とを接触させる方法、生体試料を入れる容器２１と同一の形態の容器に金属板などを設置しておき、測定開始前に電極と金属板とをショートさせることで測定部４のキャリブレーションを行う方法などの測定部４のキャリブレーションを行うことにより測定部４の精度管理を行う方法などに限らず、実際の測定前に測定部４の状態をチェックし、異常があった時のみ前記のようなキャリブレーションなどを行って測定部４を校正することで測定部４の精度管理を行う方法など、自由な方法を用いて行うことができる。
【００６２】
（１１）駆動機構１１
駆動機構１１は、様々な目的に応じて、生体試料保持部２を動かすために用いる。例えば、測定対象として、沈降成分を含有する生体試料Ｓを用いる場合、生体試料保持部２に保持された生体試料Ｓにかかる重力の方向を変化させる方向へ生体試料保持部２を動かすことで、沈降成分の沈降により、測定値に影響が生じるのを防ぐことができる。
【００６３】
また、例えば、前記図３に示す生体試料保持部２のように、非測定時には、印加部３と電極３１ａ、３１ｂとを非接続状態とし、測定時には、印加部３と電極３１ａ、３１ｂとを電気的に接続可能となるように、生体試料保持部２を駆動させることもできる。
【００６４】
更に、例えば、複数の生体試料保持部２を備える場合に、図４に示す例のように、生体試料保持部２を動かすことができるように構成しておけば、生体試料保持部２を必要な部位に移動させることで、測定、生体試料供給、薬剤供給などを行うことができる。即ち、測定部４、生体試料供給部７、薬剤供給部８などを、目的の生体試料保持部２に移動させる必要がないため、各部を動かすための駆動部などを設ける必要がなく、装置の小型化やコストの低減が可能である。
【００６５】
（１２）サンプル待機部１２
サンプル待機部１２は、分取した生体試料Ｓを測定前に待機させる部位である。本技術に係る生体試料用インピーダンス測定装置１において、このサンプル待機部１２は必須の部位ではないが、測定を円滑に行うために備えることが可能である。
【００６６】
サンプル待機部１２には、撹拌機能、温度制御機能、前記生体試料保持部２への移動機構、生体試料Ｓの種類などを識別するための識別機能（例えば、バーコードリーダーなど）、自動開栓機能などを備えることも可能である。
【００６７】
（１３）撹拌機構１３
撹拌機構１３は、生体試料保持部２の内部の撹拌を行う機構である。より詳しくは、生体試料保持部２の内部に保持された生体試料Ｓ自体の撹拌、生体試料Ｓと試薬などの薬剤との撹拌を行うための機構である。本技術に係る生体試料用インピーダンス測定装置１において、この撹拌機構１３は必須の部位ではないが、例えば、生体試料Ｓに沈降性成分が含まれる場合や、測定時に試薬などの薬剤を添加する場合などには、備えることが好ましい。より具体的には、例えば、生体試料Ｓとして血液を用いる場合、撹拌機構１３によって血液を撹拌することで、赤血球の沈降（血沈）を防止することができる。
【００６８】
撹拌機構１３における具体的な撹拌方法は、本発明の効果を損なわない限り特に限定されず、公知の撹拌方法を自由に選択して用いることができる。例えば、ピペッティングによる撹拌、撹拌棒または撹拌子などを用いた撹拌、生体試料Ｓや薬剤の入った容器を上下逆転させることによる撹拌などを挙げることができる。
【００６９】
以下、撹拌方法の具体的な一例を、図面を参照しながら説明する。図５は、撹拌機構１３を用いて、ピペッティングによって生体試料Ｓと試薬Ｒとの撹拌を行う場合の撹拌方法の一例を示す概念図である。
【００７０】
＜ステップ１＞
ステップ１では、予め、試薬Ｒが保持された生体試料保持部２へ、測定目的の生体試料Ｓを注入する。生体試料保持部２への試薬Ｒは、前述した薬剤供給部８によって予め自動的に生体試料保持部２へ注入しておくこともできるし、予め試薬Ｒが保持されたカートリッジを生体試料保持部２として用いることも可能である。
【００７１】
また、生体試料保持部２への生体試料Ｓの注入は、例えば、前述した生体試料供給部７によって、自動的に行うことが可能である。なお、図５に示す例では、生体試料保持部２の底部において生体試料Ｓを吐出しているが、吐出位置はこれに限定されず、生体試料Ｓの種類、状態などに応じて、予めパラメータを設定しておき、吐出位置の自動制御を行うことも可能である。
【００７２】
＜ステップ２＞
ステップ２では、生体試料保持部２の所定の位置から生体試料Ｓおよび／または試薬Ｒを吸引する。図５に示す例では、吸引を、生体試料保持部２の底部において行っているが、吸引位置はこれに限定されず、生体試料Ｓの種類、状態などに応じて、予めパラメータを設定しておき、吸引位置の自動制御を行うことも可能である。
【００７３】
なお、ステップ２および後述するステップ３のピペッティングで用いるピペットは、ステップ１において生体試料Ｓの注入に用いたピペットをそのまま用いてもよいし、別のピペットを用いてもよい。
【００７４】
＜ステップ３＞
ステップ３では、ステップ２で吸引した生体試料Ｓおよび／または試薬Ｒを、生体試料保持部２の所定の位置から吐出する。図５に示す例では、吐出を生体試料保持部２の中央部分で行っているが、吐出位置はこれに限定されず、生体試料Ｓの種類、状態などに応じて、予めパラメータを設定しておき、吐出位置の自動制御を行うことも可能である。
【００７５】
ステップ２およびステップ３を１セットとして、必要回数、ピペッティングを繰り返すことにより、生体試料Ｓと試薬Ｒとの撹拌を行うことができる。図５に示す例では、ステップ２およびステップ３を３セット繰り返すことにより、生体試料Ｓと試薬Ｒとの撹拌を行っているが、ピペッティング回数はこれに限定されず、生体試料Ｓや試薬Ｒの種類、状態、量などに応じて、予めパラメータを設定しておき、撹拌可能な回数を自動制御することも可能である。
【００７６】
２．生体試料用インピーダンス測定システム１００
図６は、本技術に係る生体試料用インピーダンス測定システム１００の概念を模式的に示す模式概念図である。本技術に係る生体試料用インピーダンス測定システム１００は、大別して、生体試料保持部２と、印加部３と、測定部４と、測定条件制御部５と、表示部１０１と、ユーザーインターフェース１０２と、を少なくとも備える。また、必要に応じて、温度制御部６、生体試料供給部７、薬剤供給部８、血液状態解析部９、精度管理部１０、駆動機構１１、記憶部１０３などを備えることもできる。以下、各部について詳細に説明する。なお、生体試料保持部２、印加部３、測定部４、測定条件制御部５、温度制御部６、生体試料供給部７、薬剤供給部８、血液状態解析部９、精度管理部１０、駆動機構１１については、前述した生体試料用インピーダンス測定装置１と同一であるため、ここでは説明を割愛する。
【００７７】
（１）表示部１０１
表示部１０１は、測定部４において測定されたインピーダンスのデータを表示する部位である。表示部１０１では、測定部４において測定されたインピーダンスの数値データをそのまま表示することもできるが、例えば、グラフ化して表示することも可能である。図７に、表示部１０１に表示されるデータの一例を示す。
【００７８】
また、測定部４において測定されたインピーダンスのデータを用いて、生体試料Ｓの物性などを解析し、解析したデータを表示することも可能である。
【００７９】
（２）ユーザーインターフェース１０２
ユーザーインターフェース１０２は、ユーザーが操作するための部位である。ユーザーは、ユーザーインターフェース１０２を通じて、前記本技術に係る生体試料用インピーダンス測定装置１の各部位にアクセスすることができる。
【００８０】
（３）記憶部１０３
記憶部１０３は、測定部４において測定されたインピーダンスのデータを記憶する部位である。記憶部１０３では、測定部４において測定されたインピーダンスのデータをそのまま記憶することもできるが、測定部４において測定されたインピーダンスのデータを用いて、生体試料Ｓの物性などを解析し、解析したデータを記憶することも可能である。
【００８１】
以上説明した本技術に係る生体試料用インピーダンス測定システム１００では、前記生体試料用インピーダンス測定装置１と、前記表示部１０１と、前記ユーザーインターフェース１０２と、前記記憶部１０３と、がそれぞれネットワークを介して接続されていてもよい。
【００８２】
なお、本技術は、以下のような構成も取ることができる。
（１）生体試料を保持する一又は複数の生体試料保持部と、
該生体試料保持部に保持された前記生体試料と接触する一対の電極に、交番電圧を印加する印加部と、
該印加部により前記生体試料に交番電圧が印加されることによって得られる前記生体試料のインピーダンスを測定する測定部と、
前記測定部における測定時間および／または測定周波数を制御する測定条件制御部と、
を備える生体試料用インピーダンス測定装置。
（２）前記測定条件制御部における測定時間の制御では、前記測定部における測定間隔を制御する（１）記載の生体試料用インピーダンス測定装置。
（３）前記測定条件制御部における測定時間の制御では、前記測定部における測定終了のタイミングを制御する（１）または（２）に記載の生体試料用インピーダンス測定装置。
（４）前記生体試料保持部における温度を制御する温度制御部を備える（１）から（３）のいずれか一に記載の生体試料用インピーダンス測定装置。
（５）前記生体試料保持部では、前記生体試料が収容された容器を保持することにより生体試料を保持する（１）から（４）のいずれか一に記載の生体試料用インピーダンス測定装置。
（６）前記生体試料保持部に前記生体試料を自動的に供給する生体試料供給部を備える（５）記載の生体試料用インピーダンス測定装置。
（７）前記生体試料保持部に１種または２種以上の薬剤を自動的に供給する薬剤供給部を備える（５）または（６）に記載の生体試料用インピーダンス測定装置。
（８）前記容器には、予め１種または２種以上の薬剤が収容されている（５）または（６）に記載の生体試料用インピーダンス測定装置。
（９）前記生体試料は、血液成分を含有する（１）から（８）のいずれか一に記載の生体試料用インピーダンス測定装置。
（１０）前記測定部において測定されたインピーダンスの時間的変化から、血液の状態変化を解析する血液状態解析部を備える（９）記載の生体試料用インピーダンス測定装置。
（１１）前記測定部の精度の管理を行う精度管理部を備える（１）から（１０）のいずれか一に記載の生体試料用インピーダンス測定装置。 
（１２）前記生体試料保持部を動かすための駆動機構を備える（１）から（１１）のいずれか一に記載の生体試料用インピーダンス測定装置。
（１３）前記駆動機構は、前記生体試料保持部に保持された前記生体試料にかかる重力の方向を変化させる方向へ前記生体試料保持部を動かす（１２）記載の生体試料用インピーダンス測定装置。
（１４）前記生体試料保持部の内部の撹拌を行う撹拌機構を備える（１）から（１２）のいずれか一に記載の生体試料用インピーダンス測定装置。
（１５）生体試料を保持する一又は複数の生体試料保持部と、
該生体試料保持部に保持された前記生体試料と接触する一対の電極に、交番電圧を印加する印加部と、
該印加部により前記生体試料に交番電圧が印加されることによって得られる前記生体試料のインピーダンスを測定する測定部と、
前記測定部における測定時間および／または測定周波数を制御する測定条件制御部と、
前記測定部において測定されたインピーダンスのデータを表示する表示部と、
ユーザーが操作するためのユーザーインターフェースと、
を備える生体試料用インピーダンス測定システム。
（１６）前記測定部において測定されたインピーダンスのデータを記憶する記憶部を備える（１５）記載の生体試料用インピーダンス測定システム。
【産業上の利用可能性】
【００８３】
本技術に係る生体試料用インピーダンス測定装置およびシステムは、測定時間および／または測定周波数をオートマチックに制御することができるため、生体試料のインピーダンス測定において、生体試料の種類や解析する目的などに応じて、速やかに測定精度を向上させることが可能である。
【符号の説明】
【００８４】
１：生体試料用インピーダンス測定装置、２：生体試料保持部、２１：容器、２２：容器保持部、３：印加部、３１ａ、３１ｂ：電極、３２：接続部、４：測定部、５：測定条件制御部、６：温度制御部、７：生体試料供給部、８：薬剤供給部、９：血液状態解析部、１０：精度管理部、１１：駆動機構、１２：サンプル待機部、１３：撹拌機構、１００：生体試料用インピーダンス測定システム、１０１：表示部、１０２：ユーザーインターフェース、１０３：記憶部、Ｒ：試薬、Ｓ：生体試料
【図１】
2020165982.tif 000004
【図２】
2020165982.tif 000005
【図３】
2020165982.tif 000006
【図４】
2020165982.tif 000007
【図５】
2020165982.tif 000008
【図６】
2020165982.tif 000009
【図７】
2020165982.tif 000010